(57)【要約】【課題】狭い場所に、注意書き文面を多量に表示できる折り畳みラベルおよびそれを用いた表示方法を提供する。【解決手段】折り畳みラベル１０は、剛性の大きな合成紙よりなる帯状の下側基材１１と、下側基材１１上に一端側を分離不能に接着して折り重ねられた表示基材１２と、下側基材１１上に、表示基材と同一端側を分離不能に接着されると共に、他端側は表示基材を介さずに直接下側基材に接着された伸び変形し難い帯状の表層基材１３と、下側基材１１の裏面に設けられた粘着剤層１５と、粘着剤層１５を保護する帯状の剥離シート１６と、表層基材１３の他端側に、表層基材１３を下側基材１１から分離すべく設けられたミシン目１４とからなる。【選択図】　　　　図２
2004061776.tif 000002
【特許請求の範囲】
【請求項１】
剛性の大きな合成樹脂フィルムよりなる帯状の下側基材と、
該下側基材上に一端側を分離不能に接着して折り重ねられた帯状の表示基材と、前記下側基材上に、前記表示基材と同一端側を分離不能に接着されると共に、
他端側は前記表示基材を介さずに直接下側基材に接着された伸び変形し難い帯状の表層基材と、
前記下側基材の裏面に、被貼付物に貼付するために設けられた粘着剤層と、
前記粘着剤層を保護すべく複数の下側基材に跨って仮着された帯状の剥離シートと、
前記表層基材の他端側に、該表層基材を下側基材から分離可能とすべく設けられた開票部とから構成してなる折り畳みラベル。
【請求項２】
請求項１に記載の折り畳みラベルを用いて物品に表示を行う表示方法であって、帯状の剥離シートを搬送する搬送工程と、該搬送工程の途中で、剥離シートを粘着剤層と逆側に、その進行方向を屈曲させる剥離工程と、該剥離工程で剥離シートから剥離された折り畳みラベルを、貼付目的の物品に向けて押圧する貼付工程とからなる折り畳みラベルを用いた表示方法。
【発明の詳細な説明】
【０００１】
【発明の属する技術分野】
本発明は商品やその包装・容器などに貼付して注意書きや使用法説明を表示するのに用いて好適な折り畳みラベルとそれを用いた表示方法に関し、特に狭い場所に貼付して多量の情報を表示できる折り畳みラベルおよびこれを用いた表示方法に関する。
【０００２】
【従来の技術】
今日、通信と交通の発達により、商品の生産・消費は世界規模で行われるようになった。このため、商品の包装や容器には多国の言語で宣伝文句や用法用量、注意書きなどが併記され、またはラベルによって貼付されている。
【０００３】
たとえば、食品には品名、原材料、内容量、原産国、保存方法、調理例等が英語で印刷され、さらに輸入国の言語によるその翻訳と輸入年月日、輸入者などが記入されたラベルが貼付されている。
【０００４】
しかし、医薬品や医療用具では、安全のための表示義務事項や承認番号など多くを記載する必要があるのに反し、箱や容器が小さいためラベルによる表示は困難であった。
【０００５】
図７に示すものは、使い捨てコンタクトレンズと包装箱である。
【０００６】
使い捨てコンタクトレンズ１はその多くが米国企業の製品に占められ、輸入製品の外箱２には、上面に取扱会社のブランドやロゴ３が印刷され、側面や図示しない裏面には注意書きや使用方法に斯かる英語表示４が記載されている。
【０００７】
然るに、日本語による注意書きなどは外箱２の表面に表示し得ないため、これらを記載した単票や冊子による注意書き５を外箱２内にコンタクトレンズ１と共に同梱している。
【０００８】
【発明が解決しようとする課題】
ところで、上記従来の人手によって外箱２を開封し注意書き５を梱包する表示方法では、限られた時間内に処理できる数に限界があった。
【０００９】
また、使用者が外箱２を開封したときにコンタクトレンズ１が先に出てきてしまい、注意書き５が外箱２内に残されてしまうこともあり、使用者が注意書き５を読まずにレンズを装着してしまうと、装用期間や手入れ方法を誤り重篤な障害を招く危険性があった。
【００１０】
本発明は上記従来技術の問題に鑑みなされたものであり、本発明は商品の注意書きや使用法説明が確実に使用者に読まれるようにすると共に、狭い場所に貼付して多量の情報を表示できる折り畳みラベルとそれを用いた表示方法を提供することを目的としている。
【００１１】
【課題を解決するための手段】
上記課題を解決するため、請求項１に係る折り畳みラベルは、剛性の大きな合成樹脂フィルムよりなる帯状の下側基材と、該下側基材上に一端側を分離不能に接着して折り重ねられた帯状の表示基材と、前記下側基材上に、前記表示基材と同一端側を分離不能に接着されると共に、他端側は前記表示基材を介さずに直接下側基材に接着された伸び変形し難い帯状の表層基材と、前記下側基材の裏面に、被貼付物に貼付するために設けられた粘着剤層と、前記粘着剤層を保護すべく複数の下側基材に跨って仮着された帯状の剥離シートと、前記表層基材の他端側に、該表層基材を下側基材から分離可能とすべく設けられた開票部とから構成した。
【００１２】
また、請求項２に係る表示方法は、請求項１に係る折り畳みラベルの帯状の剥離シートを搬送する搬送工程と、該搬送工程の途中で、剥離シートを粘着剤層とは逆側に、その進行方向を屈曲させる剥離工程と、該剥離工程で剥離シートから剥離された折り畳みラベルを、貼付目的の物品に向けて押圧する貼付工程とから構成した。
【００１３】
上記請求項１の構成によれば、折り畳みラベルを商品やその包装、容器に貼り付け、開票部より表層基材を下側基材から分離させると、一端側を下側基材に接着された帯状の表示基材が展開可能となり、該表示基材には多量の情報が記載可能で、狭い場所に多量の文書を表示できる。
【００１４】
また、上記請求項２の発明によると、請求項１に記載の折り畳みラベルを用いて機械による自動貼りを行うことができる。
【発明の実施の形態】
以下、本発明の好ましい実施の形態を図１ないし図５を用いて詳述する。なお、前述した従来技術と同一の構成要素には同一符号を付し、その説明を省略する。
【００１５】
まず図１は折り畳みラベル１０の正面図、図２は図１中の矢示ＩＩ−ＩＩ方向の断面図である。
【００１６】
１１は折り畳みラベル１０の主要部をなす下側基材を示し、該下側基材１１は、例えばポリプロピレンなどの合成樹脂製フィルム、またはこの合成樹脂製フィルムに顔料を混合あるいは塗布し、筆記具による記入や印刷、印字を可能にした、所謂合成紙からなる。合成紙としては、例えば「ユポ」（登録商標）などが周知である。
【００１７】
該下側基材１１を合成樹脂製フィルムまたは合成紙としたことにより、折り畳みラベル１０の剛性が増し、該折り畳みラベル１０が長尺となったときでも、後述する剥離シート１６を粘着剤層とは逆側に、角度を付けて屈曲させることで粘着剤層１５から剥離させることができる。
【００１８】
１２は例えば薄厚（５５ミクロン）の上質紙を前記下側基材１１上に一端側（図２中左側）で分離不能に接着された帯状の表示基材を示し、該表示基材１２は前記下側基材１１よりも長い寸法を以て３層に折り畳まれ、下側基材１１上にり重ねられており、他端側（図２中右側）は開票可能に解放されている。薄厚の上質紙を使用したことにより、折り畳みラベル１０の厚みが増すのを阻止でき、該表示基材１２には大量の説明書・注意書等の印刷を施すことができる。
【００１９】
１３は前記表示基材１２と同一端側を下側基材１１上に分離不能に接着され、他端側が前記表示基材１２を介さずに直接下側基材に接着された伸び変形し難い帯状の表層基材である。該表層基材１３は、上質紙に２０ミクロン厚のポリプロピレンをラミネートした複合基材（ラミネート基材）から構成され、他端側にミシン目１４が形成されている。そして、該ミシン目１４から切断することにより、表層基材１３を下側基材１１から分離可能となり、前記表示基材１２が開票できるようになっている。
該表層基材１３はラミネート基材で構成したことにより、引っ張り力に対して変形（伸張）しにくくなり、前述の下側基材１１の強い剛性と相まって、剥離シート１６を粘着剤層１５と逆側に角度を付けて折り返した時に、折り畳みラベル１０が剥離シート１６に付随して屈曲するのを阻止する。これによって、例え搬送方向に沿って長尺なラベルであっても自動貼付機を用いて物品に貼付するのに適したラベルとすることができる。
ここで、該表層基材１３の表面（図中の上側面）には、本発明の必須要素ではないが、後述する貼付面の図柄１８を形成するのが好ましい。
【００２０】
１５は前記下側基材１１の裏面に、被貼付物に貼付するために設けられた粘着剤層、１６は前記粘着剤層１５を保護すべく複数の下側基材１５に跨って仮着された帯状の剥離シートである。
【００２１】
１８は前記表層基材１３の上面に印刷にて形成された、被貼付物の貼付面と同一な図柄である。この図柄は、具体的には化粧箱の絵柄や製品のブランド、企業のロゴマークなどが挙げられる。
また、「貼付面の図柄」ではないが、折り畳みラベル１０が開票して見開き面や内部の表示基材１２を読めるようになっていることを示すメッセージ１９（例えば、「ここからお開け下さい」）も、同一面のミシン目１４の近傍に記載されている。
【００２２】
折り畳みラベル１０に斯かる実施の形態は以上の如きもので、次に折り畳みラベル１０を用いた表示方法について、図３ないし図５を用いて説明する。
【００２３】
図４に示すのは、上貼りタイプのラベル貼付装置２０である。
このラベル貼付装置２０は、ベルトコンベア等からなるコンベア部２２、ラベル供給部２４、剥離部２６、台紙巻取部２８、貼付部３０等から構成されている。
【００２４】
コンベア部２２は、ベルト上に隙間をおいてコンタクトレンズ箱２（物品）を搬送する。
ラベル供給部２４には、上述の折り畳みラベル１０が剥離シート１６を介して複数連続的に連なってロール状に巻回されている。そして、ラベル供給部２４より図示しない駆動機構によって搬送された折り畳みラベル１０は、剥離部２６で、剥離シート１６を粘着剤層１５とは逆側に、その進行方向を、角度を付けて急に屈曲させることにより、下側基材１１側の粘着剤層１５から、剥離シート１６が剥離される。
そして、前記折り畳みラベル１０は、前記剥離部２６の下流側に設けられたスポンジローラなどからなる貼付部３０によって、箱２の上面に向けて押圧され、貼付されるようになっている。
【００２５】
ラベル貼付装置２０による折り畳みラベル１０を用いた表示方法は以上の構成よりなるもので、貼付装置２０については従来のものと格別差異はない。
【００２６】
然るに、下側基材１１を剛性の強い合成紙より構成し、表層基材１３を引っ張り変形し難いラミネート基材としたことにより、折り畳みラベル１０は下側に剥離シート１６を剥離する際の引っ張り力が加えられても屈曲しにくくでき、搬送方向に沿って長尺なラベルであっても自動貼付機２０を用いて物品に貼付するのに適した構成にできる。
【００２７】
また、本実施の形態によれば、外箱２上面のブランドやロゴ印刷３と相同な図柄１８が表層基材１３にも印刷されているため、折り畳みラベル１０を貼付しても外箱２の外観は何ら損なわれず、英語表示４も覆い隠されることはない。
【００２８】
そして、使用者は、折り畳みラベル１０の「ここからお開け下さい」等の表示に従い、ミシン目１４に沿って表層基材１３を開封し、使用に際する注意書きを読むことができる。
【００２９】
ここで、表示基材１２を折り畳んで介装しているため、通常のラベルに比べ多量の情報を記載でき、同じ文字数なら大きな字で表示できる利点がある。
【００３０】
また、折り畳みラベル１０は外箱２に粘着剤層１５を介して貼り付いているため、紛失する恐れもないという利点がある。
【００３１】
かくして、本実施の形態に依れば、使い捨てコンタクトレンズの小さな外箱であっても、オリジナルの英語表示を覆い隠すことなく、また、化粧箱の図柄やブランド、ロゴマーク等の外観を損なうことなく、十分な量の日本語による注意書きをラベルで表示することができる。
【００３２】
そして、使用者は折り畳みラベル１０の内部に何が書いてあるか興味も起こるため、確実に注意書きを読ませることができ、容易に注意書きを紛失する恐れもないなど、種々の効果を奏する。
【００３３】
次に、図５に示すのは、下貼りタイプのラベル貼付装置４０である。
該ラベル貼付装置４０はベルトコンベア等からなるコンベア部４１、ラベル供給部４４、剥離部４６、台紙巻取部４８、貼付部５０等から構成されている。
【００３４】
コンベア部４１は、上流側コンベア４２及び下流側コンベア４３よりなる。各コンベア４２，４３の隙間には貼付部５０が設けられている。前記各コンベア４２，４３はベルト上に隙間をおいてコンタクトレンズ箱２（物品）を搬送する。
【００３５】
ラベル供給部４４は、前述した図４のラベル供給部２４とほぼ同様に構成されている。そして、該ラベル供給部４４より図示しない駆動機構によって搬送された折り畳みラベル１０は、剥離部４６で、剥離シート１６を粘着剤層１５とは逆側に、その進行方向を、角度を付けて急に屈曲させ、下側基材１１側の粘着剤層１５から、剥離シート１６を剥離させる。
そして、前記折り畳みラベル１０は、前記剥離部４６から表面が剥離剤加工されたニップローラ４７，４７によって搬出され、貼付部５０にて粘着剤層１５を上側に向けて、箱２の到来を待ち受ける。
次いで、上流側コンベア４２により箱２が搬送されて来ると、その下面に向けてニップローラ４７に送り出されて折り畳みラベル１０が押圧され、折り畳みラベル１０が下面に貼付された箱２は下流側コンベア４３に受け渡されて搬出される。
【００３６】
以上の如く構成される本実施形態によっても、上述図４のラベル貼付装置２０によるのとほぼ同じ効果を奏する。
【００３７】
なお、本発明は実施の形態に示した形態に限定することなく、特許請求の範囲に記載の範囲内での変形が可能であり、例えば折り畳みラベル１０は図６のように、剥離シート１６に横長方向に仮着されたものであってもよい。
【００３８】
また、折り畳みラベル１０を機械貼りするのに限定することなく、爪で剥離シート１６を剥離して手貼りしてもよい。
【００３９】
【発明の効果】
以上詳述した通り、本発明の折り畳みラベルによると、包装や容器を開封することなく、目的の物品にラベルを貼付して多量の文書表示を行うことができる。
【００４０】
また、下側基材に剛性の大きな樹脂フィルムや合成紙を使用したので、折り畳みラベルが長尺となったときでも、剥離シートを粘着剤層と逆側に、角度を付けて屈曲させることで粘着剤層から剥離させることができ、自動貼付機による機械貼りを行うのに適した折り畳みラベルとこれを用いた表示方法を提供することができる。
【図面の簡単な説明】
【図１】本発明の実施の形態に係る折り畳みラベルの正面図である。
【図２】図１中の矢示ＩＩーＩＩ方向断面図である。
【図３】折り畳みラベルを開票した状態を示す斜視図である。
【図４】折り畳みラベルを用いて自動貼付機による機械貼りを行う方法を示す説明図である。
【図５】他の方法を示す図４と同様の説明図である。
【図６】他の折り畳みラベルの形態を示す図１と同様の説明図である。
【図７】従来技術で、注意書き票を外箱に同梱する方法を示す説明図である。
【符号の説明】
１　使い捨てコンタクトレンズ（商品）
２　外箱（包装、容器）
３　ブランド、ロゴ、マーク（被貼付物の図柄）
１１　下側基材
１２　表示基材
１３　表層基材
１４　ミシン目（開票部）
１５　粘着剤層
１６　剥離シート
１８　被貼付物と相同な図柄
【図１】
2004061776.tif 000003
【図２】
2004061776.tif 000004
【図３】
2004061776.tif 000005
【図４】
2004061776.tif 000006
【図５】
2004061776.tif 000007
【図６】
2004061776.tif 000008
【図７】
2004061776.tif 000009